(57)【要約】  【課題】  着用者の頭髪のうち利用できるものは残存させ、薄くなっている部分のみを補填する、いわゆる部分ウィッグと称されるウィッグであって、人毛を素材とするウィッグに関し、通気性が良好で自髪とのなじみがよく、しかも人毛をウィッグの毛髪として用いたとしても、上記のような水分、湿気の吸収に伴う膨潤、収縮によっても、ベースから人毛の毛髪が離脱することのないウィッグを提供することを課題とするものである。  【解決手段】  使用者の頭髪に着脱自在に取り付けられるベース１と、該ベース１に取り付けられた毛髪２からなるウィッグにおいて、前記毛髪２は人毛で構成され、且つ前記ベース１は、膨潤、収縮しうる複数の紐材４を具備して構成されていることを特徴とする。【選択図】  図１
2007031916.tif 000002
【特許請求の範囲】
【請求項１】
使用者の頭髪に着脱自在に取り付けられるベース（１）と、該ベース（１）に取り付けられた毛髪（２）からなるウィッグにおいて、前記毛髪（２）は人毛で構成され、且つ前記ベース（１）は、膨潤、収縮しうる複数の紐材（４）を具備して構成されていることを特徴とするウィッグ。
【請求項２】
紐材（４）が、ポリエステルからなる芯材（４ａ）に、綿からなる被覆材（４ｂ）が被覆されて構成されている請求項１記載のウィッグ。
【請求項３】
ベース（１）が、１対の基材（３ａ）、（３ｂ）と、該基材（３ａ）、（３ｂ）に掛け渡された複数の紐材（４）とで構成されている請求項１又は２記載のウィッグ。
【請求項４】
使用者の毛髪に取付可能な固定ピン（５）が、それぞれの基材（３ａ）、（３ｂ）の左右に１対ずつ計４個取り付けられている請求項１乃至３のいずれかに記載のウィッグ。
【発明の詳細な説明】
【技術分野】
【０００１】
本発明はウィッグ（かつら）、特に着用者の頭髪のうち利用できるものは残存させ、薄くなっている部分のみを補填する、いわゆる部分ウィッグと称されるものであって、人毛を素材とするウィッグに関する。
【背景技術】
【０００２】
従来より、ウィッグとしては種々のものが市販されている。そのようなウィッグのほとんどは、着用者の頭髪のうち利用できるものは残存させ、薄くなっている部分のみを補填する、いわゆる部分ウィッグと称されるものである。美容室等で既製品として販売されている増毛用部分ウィッグのほとんどは化学繊維からなるもので、もともとカールが強くついており、色は数種類の中から自分に合うものを選ぶのが通常である。
【０００３】
このような場合において、着用者がカールのついた部分ウィッグを着用することに違和感や抵抗感がない場合には問題がないが、たとえば現在の５０代女性のパーマ率は５０％以下であり、髪が薄くて悩んでいるがパーマはかけたくない着用者にとっては、上記のような部分ウィッグは必ずしもニーズに応じた製品とはいえない。
ごく一部の美容室ではカールを伸ばす技術を持っているところもあるが、そのような技術は、部分ウィッグの需要者のニーズに応じるには到底至っていない。
【０００４】
従って、上記のような化学繊維からなる部分ウィッグは、どうしても自分のヘアスタイルに適合せず、毛髪が不自然であると着用者に感じさせることとなる。毛髪を自然に見せるためにはウィッグに自分のヘアスタイルを合わせなければならないこととなり、ヘアスタイルを自分の要望に合致させることを断念せざるを得ない現状となっている。このような場合、自分のヘアスタイルを変えると、ウィッグもそれに合わせて買い換えないと毛髪が不自然となる。
【０００５】
一方、髪の色やカールの状態、頭の形に適合した増毛用部分ウィッグを、着用者専用のオーダーメイドのウィッグとして提供することも行なわれるが、非常に高価で一般の需要者に普及するには至っていない。
【０００６】
上述のような点に鑑み、ウィッグの毛髪を人毛で構成することも要望されており、
このような要望に鑑みて、たとえば下記特許文献１や特許文献２のような出願がなされている。特許文献１は、人毛又は人工毛髪をベースの表面に取り付けたかつらにおいて、ベースの前端縁から外方に突出した前端縁被覆用毛髪を取り付けたことを特徴とするものである。また特許文献２は、ネット状の台（ベース）と、その台から伸びる多数の毛髪とを有するかつらにおいて、多数の毛髪が、２５％〜３５％の人毛を含み、残部が人造毛髪から構成されていることを特徴とするものである。
【０００７】
【特許文献１】特開平８−１９９４１２号公報
【特許文献２】特開平１０−７７５１４号公報
【０００８】
しかしながら、上記特許文献２のように化学繊維からなる毛髪に人毛からなる毛髪を混合したものは、一部に販売されてはいるが、１００％人毛を素材としたものは、少なくとも部分ウィッグについては未だ開発されていない。
【０００９】
これは、化学繊維からなるウィッグと比較して、人毛は毛髪としてのボリューム感を出しにくいからと一般には認められている。人毛は根元が立ち上がりにくいが、化学繊維は根元が立ち上がり易いので、少量でもボリューム感を出すことができるとされている。
【００１０】
ただし、このような一般的な問題点は、ボリューム感を出しにくいことを許容すれば解消できないものではなく、また薄毛で悩んでいる着用者にとっては、ウィッグを着用していることを極力人に知られないようにするためには、頭髪のボリュームが不自然に出るのは好ましいことではない。このようなことから、上記の一般的な問題点は根本的に解決できないものではない。
【００１１】
この点に関して、本発明者等が、１００％人毛を素材とした部分ウィッグが未だ開発されていない理由を鋭意研究したところ、本質的な問題点が別にあることを見出した。すなわち、人毛は水や湿気を吸収すると湿潤状態となって、容量で約１．１〜１．５倍に膨張し、つまり膨潤状態となり、またその後に乾燥すると収縮し、このような膨潤や収縮が生じることで毛髪の形態が崩れるおそれがあるという問題点である。この点、化学繊維からなるウィッグであれば、水や湿気を極端に吸収することがなく、このような毛髪の形態の崩れや変化を生じるおそれが少ない。
【００１２】
そこでこのような本質的な問題点を考慮しつつ上記特許文献１や特許文献２について検討すると、特許文献１の〔０００８〕には「かつらベース１が合成繊維を素材とした網状の生地１０で形成されている」と記載され、また特許文献２には明細書の全体に、ベースに相当する台がネット状のものであることが開示されている。
【００１３】
すなわち、従来のウィッグに具備されているベースは、上記特許文献１や特許文献２のように網状の生地で構成されているものが多く、このような網状の生地で構成されたベースは硬くて変形しにくいので、人毛からなる毛髪を取り付けた場合、上記のような水や湿気を吸収することに伴う毛髪の膨潤や収縮により、毛髪がベースから離脱するおそれがあるという致命的な問題点が生ずることが判明した。
【００１４】
このような問題点が、１００％人毛を素材とする部分ウィッグが開発されていない真の理由と認められるが、着用者にとっては、部分ウィッグを着用していることができるだけわからないように自然に見せたいという要望があり、この観点からは人工の毛髪と混合するにしても人毛の割合が多いほど好ましく、１００％人毛の素材を用いることができれば一層好都合である。
【００１５】
また、化学繊維からなる毛髪のウィッグを着用して動き、或いは風が吹いた場合、少しづつヘアスタイルが乱れるのを繰り返し、時間の経過により、自髪とウィッグの毛髪が明確に分離して不自然に見えることがある。これは「髪のなじみが悪い」と一般にいわれているが、化学繊維からなるウィッグは本質的に自髪とのなじみが悪いものであるため、このようなことからも、１００％人毛の素材を用いることが着用者にとっては究極の要望でもある。
【００１６】
さらに、上記特許文献１や特許文献２のように網状の生地で構成されたベースを具備したウィッグは、上述のようにベースが硬くて変形しにくいので、頭の形にぴったり適合しにくく、部分的に浮くおそれがあり、不自然に見えるという問題もある。またベースを構成する網状生地の編み目は細かいため、通気性が悪く、自髪のために良くないとの印象も着用者に与えている。
【発明の開示】
【発明が解決しようとする課題】
【００１７】
本発明は、上述のような問題を解決するためになされたもので、通気性が良好で自髪とのなじみがよく、しかも人毛をウィッグの毛髪として用いたとしても、上記のような水分、湿気の吸収に伴う膨潤、収縮によっても、ベースから人毛の毛髪が離脱することのないウィッグを提供することを課題とするものである。
【課題を解決するための手段】
【００１８】
本発明は、このような課題を解決するためになされたもので、請求項１記載の発明は、使用者の頭髪に着脱自在に取り付けられるベース１と、該ベース１に取り付けられた毛髪２からなるウィッグにおいて、前記毛髪２は人毛で構成され、且つ前記ベース１は、膨潤、収縮しうる複数の紐材４を具備して構成されていることを特徴とする。ここで膨潤とは、一般にゲルが液体を吸収して体積を増すことと同様の意味ではあるが、狭義の意味に限定されるものではなく、素材を問うことなく、水分、湿気等により湿潤状態となって膨らむ或いは体積を増す等を広く意味するものである。
【００１９】
また、請求項２記載の発明は、請求項１記載のウィッグにおいて、紐材４が、ポリエステルからなる芯材に、綿からなる被覆材が被覆されて構成されていることを特徴とする。さらに請求項３記載の発明は、ベース１が、１対の基材３ａ、３ｂと、該基材３ａ、３ｂに掛け渡された複数の紐材４とで構成されていることを特徴とする。さらに請求項４記載の発明は、請求項１乃至３のいずれかに記載のウィッグにおいて、使用者の毛髪に取付可能な固定ピン５が、それぞれの基材３ａ、３ｂの左右に１対ずつ計４個取り付けられていることを特徴とする。
【発明の効果】
【００２０】
本発明は、上述のように、膨潤、収縮しうる複数の紐材を具備させてベースを構成し、このようなベースに人毛からなる毛髪を取り付けてウィッグを構成したものであるので、人毛が水分、湿気の吸収に伴い膨潤、収縮したとしても、それに伴ってベースに具備された紐材が水分等によって膨潤、収縮するので、人毛からなる毛髪がベースから離脱するのが好適に防止されるという効果がある。
【００２１】
従って、人毛からなる毛髪をウィッグに適用する場合に従来生じていた根本的な問題点を解決することができ、１００％人毛の素材からなる部分ウィッグを提供することが可能となった。
【００２２】
この結果、人毛の素材からなるウィッグの特性、すなわちカールが付与されているなどの制限がないこと、色が制限されることがないこと、自分の好みのヘアスタイルに適合させ易いこと、毛髪が不自然であると着用者に感じさせないこと、動いたり風が吹いたりした場合でも、ヘアスタイルが乱れるのを繰り返しても、自髪との髪のなじみが良いこと等、種々の特性を行かすことができるという利点がある。
【００２３】
さらに、ベースが従来の網状の生地からなるようなものではなく、複数の紐材を具備して構成されたものであるので、通気性が悪くなるようなこともない。
【００２４】
さらに、ベースがこのように複数の紐材を具備して構成されているので、着用者の頭の形にぴったり適合し、浮いたような不自然な状態となることもない。
【発明を実施するための最良の形態】
【００２５】
本実施形態のウィッグは、部分ウィッグとして使用されるもので、図１に示すように、ベース１と毛髪２とで構成されている。ベース１は、図１及び図２に示すように、大きさが異なる１対の基材３ａ、３ｂと、該１対の基材３ａ、３ｂに同方向に掛け渡された複数の紐材４とで構成されている。
【００２６】
基材３ａ、３ｂは、ポリアミド、ポリエステル等の合成繊維を素材として網状の生地からなるもので、必要に応じてバインダー等を混合して、前記複数の紐材４を掛け渡すことのできる程度の所定の硬さに形成されている。紐材４は、図３に示すように、ポリエステルからなる芯材４ａに、綿の被覆材４ｂで被覆した構成からなるもので、全体として水分、湿気等によって膨潤、収縮しうるように構成されている（商品名：エクストラストロングコットンカバードポリエステル）。この点をより詳細に説明すると、芯材４ａを構成するポリエステル自体は水分、湿気等によって膨潤、収縮するわけではなく、実際には被覆材４ｂである綿（コットン）が水分、湿気等によって膨潤、収縮する性質を有しており、それによって紐材４が全体として膨潤、収縮しうるように構成されている。
【００２７】
紐材４の本数は特に限定されるものではないが、本実施例では６本の紐材４が前記基材３ａ、３ｂに掛け渡されている。また、これら６本の紐材４に横断するように１本の紐材４が設けられている。この横断する紐材４は、その両端が一方の基材３ａに取り付けられている。
【００２８】
さらに、前記基材３ａ、３ｂには、それぞれ左右に１対の固定ピン５、５が取り付けられている。従って、ベース１の全体としては、計４個の固定ピン５が具備されていることになる。この固定ピン５、５には、使用者の毛髪に取付可能な櫛状部６が形成されている。
【００２９】
毛髪２は、全体が人毛で構成されている。
【００３０】
本実施形態のウィッグは、上述のようにポリエステルの芯材４ａに綿の被覆材４ｂで被覆した構成からなり、全体として、特に被覆材４ｂの部分が水分、湿気等によって膨潤、収縮するように構成された複数の紐材４がベース１に具備されているため、毛髪２を構成する人毛が水分、湿気の吸収に伴い膨潤、収縮したとしても、それに伴ってベースに具備された紐材４が膨潤、収縮するので、人毛からなる毛髪がベース１から離脱するのが好適に防止されることとなる。一方、芯材４ａは水分、湿気等によって膨潤、収縮することがないので、ベース１に必要なある程度の保形性が維持され、ベース１の大きさや形が極端に変形するおそれがない。このことからも、毛髪２のベース１からの不用意な離脱が防止される。
【００３１】
このように人毛からなる毛髪を採用しても、ベース１から離脱することがないので、１００％人毛の素材からなるウィッグを提供することが可能となった。
【００３２】
本実施形態のウィッグは人毛素材のため、ヘアカラー、パーマを自由に施術することができ、数限りない色と形のウィッグを、たとえば美容院等で特殊な技術を要することなく、美容師の通常の技術で作製してもらうことができ、顧客は色や形に制限されずに、自分の好みのヘアスタイルにぴったり適合した自然に見えるウィッグを、既製品と同等の価格で入手することが可能となる。また、このような人毛素材は、もともとパーマをがかかっていないので、パーマが必要な場合には美容師がパーマを施術することができる。
【００３３】
また本実施形態のウィッグの毛髪は全て人毛のため、自然に薄毛をカバーし、ウィッグをつけていることを人にわからせない自然な状態を維持でき、また毛髪のボリュームの適度な状態に維持することができる。さらに、人毛は自髪とのなじみがよく、時間がたっても分離しにくく不自然にならない。
【００３４】
さらにベース１に紐材４を具備させているので、ベース１は、毛髪２が不用意に離脱することがない程度の保形性を維持しつつも、着用者の頭部に応じて大きさや形状を変えることができる程度には変形させることができ、従ってベースの形、ひいてはウィッグの形をある程度自由に変えられることとなり、わざわざ採寸しなくても、どのような頭の形の着用者にも適合させることができる。
【００３５】
さらに複数の紐材４の間には間隙が存在しているため、通気性がよく蒸れない。そして、複数の紐材４間の間隙から自髪を裸出させることができるため、動いたり風が吹いたりしてもウィッグが外れにくく、固定し易い。また複数の紐材４間の間隙から自髪を裸出させることで、自分の髪とウィッグの髪が混ざるので、ヘアスタイルがより自然に見える。
【００３６】
さらに、本実施形態では、基材３ａ、３ｂのそれぞれ左右に固定ピン５、５を１対ずつ取り付け、ベース１の全体として計４個の固定ピン５を具備させたので、着用者の後部のつむじに固定ピン５があたるようなことがなく、長時間使用しても、ピンの痛みがなく、ウィッグの固定状態を安定させることができる。
【００３７】
上記のようなウィッグは、従来のウィッグと同様に、固定ピン５の櫛状部６を着用者の自髪に差し込むことによって、着用者の頭部に装着するものである。
【００３８】
尚、上記実施形態では、紐材４が、ポリエステルの芯材４ａに、綿の被覆材４ｂで被覆して構成されていたが、紐材４を構成する素材は該実施形態に限定されるものではない。たとえば脂肪族ポリアミド、ポリアクリロニトリル、ポリウレタン等からなる芯材４ａに綿の被覆材４ｂを被覆して構成したようなものであってもよい。また、被覆材４ｂの材質も綿に限定されるものではない。ただし、膨潤、収縮する性質に優れ、また紐材４を構成する被覆材４ｂの素材として汎用性を有することから、上記実施形態の綿を用いるのが好ましい。或いは芯材４ａと被覆材４ｂとで構成された構造以外のもの、たとえば１層構造のものを採用することも可能である。要は、紐材４が膨潤、収縮するように構成されていればよいのである。
【００３９】
また、上記実施形態では、１対の基材３ａ、３ｂに複数の紐材４を掛け渡してベース１が構成されていたが、ベース１の構造も該実施形態に限定されるものではない。要は、膨潤、収縮しうる複数の紐材４を具備してベース１が構成されていればよいのである。
【００４０】
尚、本発明においては、毛髪２の全体を人毛で構成することを主眼とするが、１００％人毛であることを厳格に要求する趣旨ではなく、たとえばウィッグの製造過程上において、微量の化学繊維が異物として或いは必要に応じて混入されることを排除することまで意図するものではない。また、本発明は主として部分ウィッグに用いることを主眼とするものではあるが、その適用は部分ウィッグに限定されない。
【図面の簡単な説明】
【００４１】
【図１】一実施形態のウィッグを示す平面図。
【図２】ウィッグに具備されているベースを示す平面図。
【図３】図２のＡ−Ａ線拡大断面図。
【符号の説明】
【００４２】
１…ベース          ２…毛髪
４…紐材
【図１】
2007031916.tif 000003
【図２】
2007031916.tif 000004
【図３】
2007031916.tif 000005